(57)【要約】情報再生装置（１）は、コンテンツデータを読み取る読取手段（１０）と、使用者の操作によって回転するように構成された操作手段（４１）と、操作手段の回転操作内容を示す操作信号に基づいてコンテンツデータの再生速度及び再生方向を規定しながら、該コンテンツデータを再生する再生手段（１５）と、コンテンツデータの再生中に、コンテンツデータ中に周期的又は離散的に分布する複数のデータ部分の再生強度を調整する調整手段（２２）とを備える。
2008107949.tif 000002
【特許請求の範囲】
【請求項１】
コンテンツデータを読み取る読取手段と、
使用者の操作によって回転するように構成された操作手段と、
前記使用者による前記操作手段の回転操作内容を示す操作信号に基づいて前記コンテンツデータの再生速度及び再生方向を規定しながら、該コンテンツデータを再生する再生手段と、
前記コンテンツデータの再生中に、前記コンテンツデータ中に周期的又は離散的に分布する複数のデータ部分の再生強度を調整する調整手段と
を備えることを特徴とする情報再生装置。
【請求項２】
前記再生強度を調整するか否かを設定する設定手段を更に備え、
前記調整手段は、前記設定手段により前記再生強度を調整すると設定された場合に、前記再生強度を調整することを特徴とする請求の範囲第１項に記載の情報再生装置。
【請求項３】
前記調整手段は、前記使用者により前記操作手段が操作されている場合に、前記再生強度を調整することを特徴とする請求の範囲第１項に記載の情報再生装置。
【請求項４】
前記調整手段は、前記再生強度を０に調整することを特徴とする請求の範囲第１項に記載の情報再生装置。
【請求項５】
前記再生強度の調整量を変更する調整量変更手段を更に備えることを特徴とする請求の範囲第１項に記載の情報再生装置。
【請求項６】
前記調整量変更手段は、前記操作手段の回転操作に係る操作速度及び操作量の少なくとも一方に応じて、前記再生強度の調整量を変更することを特徴とする請求の範囲第５項に記載の情報再生装置。
【請求項７】
前記調整量変更手段は、回転操作以外の前記操作手段の操作に応じて、前記再生強度の調整量を変更することを特徴とする請求の範囲第５項に記載の情報再生装置。
【請求項８】
前記複数のデータ部分の間隔を変更する間隔変更手段を更に備えることを特徴とする請求の範囲第１項に記載の情報再生装置。
【請求項９】
前記間隔変更手段は、前記操作手段の回転操作に係る操作速度及び操作量の少なくとも一方に応じて、前記複数のデータ部分の間隔を変更することを特徴とする請求の範囲第８項に記載の情報再生装置。
【請求項１０】
前記間隔変更手段は、回転操作以外の前記操作手段の操作に応じて、前記複数のデータ部分の間隔を変更することを特徴とする請求の範囲第８項に記載の情報再生装置。
【請求項１１】
使用者の操作によって回転するように構成された操作手段を備える情報再生装置における情報再生方法であって、
コンテンツデータを読み取る読取工程と、
前記使用者による前記操作手段の回転操作内容を示す操作信号に基づいて前記コンテンツデータの再生速度及び再生方向を規定しながら、該コンテンツデータを再生する再生工程と、
前記コンテンツデータの再生中に、前記コンテンツデータ中に周期的又は離散的に分布する複数のデータ部分の再生強度を調整する調整工程と
を備えることを特徴とする情報再生方法。
【請求項１２】
コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中に、前記コンテンツデータ中に周期的又は離散的に分布する複数のデータ部分の再生強度を調整する調整手段とを備える情報再生装置に備えられたコンピュータを制御する再生制御用のコンピュータプログラムであって、
該コンピュータを前記読取手段、前記再生手段及び前記調整手段のうち少なくとも一部として機能させることを特徴とするコンピュータプログラム。
【発明の詳細な説明】
【技術分野】
【０００１】
本発明は、記録媒体に記録されている音情報や映像情報の再生を行う情報再生装置及び方法、並びにこのような情報再生装置に用いられるコンピュータプログラムに関する。
【背景技術】
【０００２】
近年、ＣＤやＤＶＤ等の、デジタル信号によるデータの記録及び再生が可能な記録媒体が普及している。それに伴って、デジタル信号に起因した特有の再生処理を行う情報再生装置も開発が進められている。例えば、ＣＤやＤＶＤには、一連の映像シーンや各楽曲（即ち、コンテンツデータ）が、相互に関連付けられて記録されている。例えば映画であれば、所定の再生時間を有する各映像シーンが、ＰＧＣ（Program Group Chain）やプレイリストによって指定される一連の再生シーケンスに従って再生されるように複数のデータ群として記録されている。例えば、音楽であれば、所定の再生時間を有する各楽曲が、トラック番号により区別された複数のデータ群として記録されている。このため、情報再生装置は、各映像シーンや各楽曲の先頭アドレスをサーチして再生する頭出し再生や、各映像シーンや各楽曲の再生順序を任意に変えるランダム再生等を行うことができる。【０００３】
また、例えばＤＪ機器等のようにジョグダイヤルを備える情報再生装置では、リバース再生やスクラッチ等の特殊な再生を行うこともできる。リバース再生では、通常行われるフォワード再生に相対する再生方法であって、時間経過に従って順方向に再生すべきコンテンツデータが逆方向に再生される。これは、ジョグダイヤルを逆回転させる（反時計回りの方向に回転させる）ことで実現される。また、スクラッチでは、ジョグダイヤルを時計回り方向及び反時計回り方向に交互に往復操作することで、コンテンツデータのフォワード再生とリバース再生とが交互に行われ、その結果、本来の音声とは違った擬音（スクラッチ音）が出力される（特許文献１参照）。このようなスクラッチにおいては、２つのプレーヤの音声を合成するミキサー上のクロスフェーダーを操作することで、一方のプレーヤから再生される音声の一部をミュートする技術（例えば、トランスフォーマースクラッチや、クラブスクラッチや、フレアスクラッチ等の連続ミュートスクラッチ）が知られている。【０００４】
また、このように再生されるコンテンツデータに対して、更にミュート処理を加える編集加工を行う構成（いわゆる、エフェクタ機能を備えるミキサー）が、特許文献２に開示されている。【０００５】
【特許文献１】特開２００２−３４０２６号公報
【特許文献２】特開２００６−２４９８３号公報
【発明の開示】
【発明が解決しようとする課題】
【０００６】
しかしながら、いわゆるスクラッチ等は熟練の技能が必要となり、容易に習得できるものではない。また、ジョグダイヤルをユーザ自身の手で操作するマニュアル操作によりスクラッチ等を行っているため、熟練の技能を有する者であっても、数Ｈｚ程度の往復操作しかできないという限界が存在している。しかしながら、視聴者の嗜好等によっては、更に高度な再生技術が望まれる場合もあり、既存の機器が必ずしも満足のいくものではないという問題点が存在している。【０００７】
本発明が解決しようとする課題には上記のようなものが一例として挙げられる。本発明は、より高度な再生技術を比較的容易に実現可能な情報再生装置及び方法、並びにコンピュータをこのような情報再生装置として実行させるコンピュータプログラムを提供することを課題とする。
【課題を解決するための手段】
【０００８】
上記課題を解決するために本発明の情報再生装置は、コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中に、前記コンテンツデータ中に周期的又は離散的に分布する複数のデータ部分の再生強度を調整する調整手段とを備える。【０００９】
上記課題を解決するために本発明の情報再生方法は、使用者の操作によって回転するように構成された操作手段を備える情報再生装置における情報再生方法であって、コンテンツデータを読み取る読取工程と、前記使用者による前記操作手段の回転操作内容を示す操作信号に基づいて前記コンテンツデータの再生速度及び再生方向を規定しながら、該コンテンツデータを再生する再生工程と、前記コンテンツデータの再生中に、前記コンテンツデータ中に周期的又は離散的に分布する複数のデータ部分の再生強度を調整する調整工程とを備える。【００１０】
上記課題を解決するために本発明のコンピュータプログラムは、コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中に、前記コンテンツデータ中に周期的又は離散的に分布する複数のデータ部分の再生強度を調整する調整手段とを備える情報再生装置に備えられたコンピュータを制御する再生制御用のコンピュータプログラムであって、該コンピュータを前記読取手段、前記再生手段及び前記調整手段のうち少なくとも一部として機能させる。【００１１】
本発明のこのような作用及び利得は次に説明する実施の形態から明らかにされる。
【図面の簡単な説明】
【００１２】
【図１】本実施例に係る光ディスク再生装置の基本構成を概念的に示すブロック図である。
【図２】本実施例に係る光ディスク再生装置の特に信号処理部の構成を概念的に示すブロック図である。
【図３】本実施例に係る光ディスク再生装置の動作の流れを概念的に示すフローチャートである。
【図４】 スクラッチエミュレータ処理部による処理前のコンテンツデータ及びスクラッチエミュレータ処理部による処理後のコンテンツデータを概念的に示す波形図である。
【図５】変形例に係る光ディスク再生装置の基本構成を概念的に示すブロック図である。
【図６】他の変形例に係る光ディスク再生装置の基本構成を概念的に示すブロック図である。形図である。
【符号の説明】
【００１３】
１  光ディスク再生装置
１０  光ピックアップ
１１  ＲＦアンプ
１５  信号処理部
２０  システムコントローラ
２２  スクラッチエミュレータ処理部
４０  操作部
４１  ジョグダイヤル
４２  エンコーダ
４３  接触センサ
４４  スクラッチエミュレータモードインボタン
【発明を実施するための最良の形態】
【００１４】
以下、発明を実施するための最良の形態として、本発明の情報再生装置及び方法、並びにコンピュータプログラムの夫々に係る実施形態について順に説明する。【００１５】
（情報再生装置の実施形態）
本発明の情報再生装置に係る実施形態は、コンテンツデータを読み取る読取手段と、
使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中に、前記コンテンツデータ中に周期的又は離散的に分布する複数のデータ部分の再生強度を調整する調整手段とを備える。【００１６】
本発明の情報再生装置に係る実施形態によれば、読取手段の動作により、例えばＣＤやＤＶＤ等の記録媒体に記録された、映像や音楽等を含むコンテンツデータが読み取られる。このとき、例えばコンテンツデータに対して特殊な再生処理を行うために、使用者は操作手段を操作することができる。操作手段は、使用者の操作によって回転するように構成されているものであって、ＤＪ機器等に用いられるジョグダイヤルが一具体例として挙げられる。尚、本発明における「ＤＪ」とは、単に音楽のみならず、映像をも含めた広い意味でのコンテンツデータを、特殊な技法を用いて再生する主体を示す趣旨である。【００１７】
操作手段の操作内容（特に、回転操作内容）は、検出手段の動作により操作信号として検出される。そして、再生手段の動作により、操作信号に基づいて再生速度や再生方向を規定しながら、コンテンツデータが再生される。【００１８】
本実施形態では特に、再生手段によるコンテンツデータの再生中において、調整手段の動作により、コンテンツデータ中の一部のデータに相当するデータ部分（つまり、コンテンツデータ中に周期的又は離散的に分布する複数のデータ部分）の再生強度（例えば、コンテンツデータが音声であれば音量であり、コンテンツデータが映像であれば輝度）が調整される。例えば、調整後の再生強度が調整前の再生強度よりも強くなるように再生強度が調整されたり、調整後の再生強度が調整前の再生強度よりも弱くなるように再生強度が調整される。或いは、調整後の再生強度がゼロとなるように再生強度が調整される。【００１９】
このように、本実施形態によれば、調整手段の動作により、コンテンツデータの再生強度が細かく且つ連続的に変化するように、コンテンツデータが再生される。このようなコンテンツデータの再生は、トランスフォーマースクラッチや、クラブスクラッチや、フレアスクラッチ等が一例として挙げられ、以降適宜“連続再生強度可変スクラッチ”と称する。連続再生強度可変スクラッチのうち、再生強度をゼロに調整する技術は、連続ミュートスクラッチが一例として挙げられる。このため、使用者による連続再生強度可変スクラッチのための操作が行われなくとも、再生強度が細かく変化する連続再生強度可変スクラッチをいわば自動的に行うことができる。言い換えれば、調整手段を備えていない情報再生装置においては、情報再生装置の外部に接続されるミキサーのクロスフェーダーを使用者が細かく操作しなければ行われなかった連続再生強度可変スクラッチを、比較的容易行うことができる。従って、連続再生強度可変スクラッチを行うために必要な使用者の操作の負担を軽減することができる。更には、同じ調整を行う限りは、毎回同じ態様で安定的に連続再生強度可変スクラッチを行うことができるという利点をも享受することができる。【００２０】
更には、調整手段による調整の態様によっては、使用者による操作手段の操作では実現が困難な或いは実現不可能な態様で、連続再生強度可変スクラッチを行うことができる。特に、調整手段による調整の態様を、より特殊な、より高度な或いはより複雑な態様での連続再生強度可変スクラッチを可能とする態様とすることで、これまでにない態様で連続再生強度可変スクラッチを行うことができる。これにより、調整手段による調整が行われない情報再生装置と比較して、より高度な再生技術を比較的容易に実現することができる。【００２１】
本発明の情報再生装置に係る実施形態の一の態様は、前記再生強度を調整するか否かを設定する設定手段を更に備え、前記調整手段は、前記設定手段により前記再生強度を調整すると設定された場合に、前記再生強度を調整する。【００２２】
この態様によれば、設定手段の設定結果に応じて、再生強度を調整するか否かが決定される。設定手段は、例えば所定の操作ボタンによる使用者の指示に基づいて、再生強度を調整するか否かを設定してもよい。このため、例えば使用者が望む場合にのみ選択的に、再生強度を調整することができる。従って、操作信号に基づくコンテンツデータの再生（つまり、通常の態様でのコンテンツデータの再生）を行いつつ、再生強度の調整（つまり、より高度な態様でのコンテンツデータの再生であって、具体的には連続再生強度可変スクラッチ）を行うことができる。その結果、より多様な態様でコンテンツデータを再生することができる。【００２３】
本発明の情報再生装置に係る実施形態の他の態様は、前記調整手段は、前記使用者により前記操作手段が操作されている場合に、前記再生強度を調整する。【００２４】
この態様によれば、操作手段が操作されている場合に、再生強度が調整される。他方、操作手段が操作されていなければ、再生強度は調整されない。即ち、使用者が操作手段を操作しているか否かに応じて、再生強度を調整するか否かが決定される。従って、使用者は、上述した再生強度の調整を開始するための或いは停止させるための独立した操作を行う必要がなく、その結果、使用者の操作性の向上を図ることができる。【００２５】
本発明の情報再生装置に係る実施形態の他の態様は、前記調整手段は、前記再生強度を０に調整する。【００２６】
この態様によれば、連続ミュートスクラッチを好適に行うことができる。【００２７】
本発明の情報再生装置に係る実施形態の他の態様は、前記再生強度の調整量を変更する調整量変更手段を更に備える。【００２８】
この態様によれば、再生強度の調整量（具体的には、再生強度の増加量や減少量）を任意に変更することができるため、より多様な態様でコンテンツデータを再生することができる。つまり、連続再生強度可変スクラッチの再生態様を比較的容易に変更することができる。【００２９】
上述の如く調整量変更手段を備える情報再生装置の態様では、前記調整量変更手段は、前記操作手段の回転操作に係る操作速度及び操作量の少なくとも一方に応じて、前記再生強度の調整量を変更するように構成してもよい。【００３０】
このように構成すれば、より多様な態様で再生強度の調整量を変更することができるため、より多様な態様で連続再生強度可変スクラッチを行うことができる。【００３１】
上述の如く調整量変更手段を備える情報再生装置の態様では、前記調整量変更手段は、回転操作以外の前記操作手段の操作に応じて、前記再生強度の調整量を変更するように構成してもよい。【００３２】
このように構成すれば、操作手段を用いて、コンテンツデータを再生することに加えて、再生強度の調整量をも変更することができる。つまり、操作手段の操作によって、異なる２種類の操作を行うことができる。【００３３】
本発明の情報再生装置に係る実施形態の他の態様は、前記複数のデータ部分の間隔を変更する間隔変更手段を更に備える。【００３４】
この態様によれば、周期的又は離散的に分布する複数のデータ部分の間隔（言い換えれば、複数のデータ部分の分布の態様であって、再生強度の調整が行われるタイミング）を任意に変更することができるため、より多様な態様でコンテンツデータを再生することができる。つまり、連続再生強度可変スクラッチの再生態様を比較的容易に変更することができる。【００３５】
上述の如く間隔変更手段を備える情報再生装置の態様では、前記間隔変更手段は、前記操作手段の回転操作に係る操作速度及び操作量の少なくとも一方に応じて、前記複数のデータ部分の間隔を変更するように構成してもよい。【００３６】
このように構成すれば、より多様な態様で複数のデータ部分の間隔を変更することができるため、より多様な態様でコンテンツデータを再生することができる。【００３７】
上述の如く間隔変更手段を備える情報再生装置の態様では、前記間隔変更手段は、回転操作以外の前記操作手段の操作に応じて、前記複数のデータ部分の間隔を変更するように構成してもよい。【００３８】
このように構成すれば、操作手段を用いて、コンテンツデータを再生することに加えて、複数のデータ部分の間隔をも変更することができる。つまり、操作手段の操作によって、異なる２種類の操作を行うことができる。【００３９】
（情報再生方法の実施形態）
本発明の情報再生方法に係る実施形態は、使用者の操作によって回転するように構成された操作手段を備える情報再生装置における情報再生方法であって、コンテンツデータを読み取る読取工程と、前記使用者による前記操作手段の回転操作内容を示す操作信号に基づいて前記コンテンツデータの再生速度及び再生方向を規定しながら、該コンテンツデータを再生する再生工程と、前記コンテンツデータの再生中に、前記コンテンツデータ中に周期的又は離散的に分布する複数のデータ部分の再生強度を調整する調整工程とを備える。【００４０】
本発明の情報再生方法に係る実施形態によれば、上述した本発明の情報再生装置に係る実施形態が有する各種利益と同様の利益を享受することが可能となる。【００４１】
尚、上述した本発明の情報再生装置に係る実施形態における各種態様に対応して、本発明に係る情報再生方法の実施形態も各種態様を採ることが可能である。【００４２】
（コンピュータプログラムの実施形態）
本発明のコンピュータプログラムに係る実施形態は、コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中に、前記コンテンツデータ中に周期的又は離散的に分布する複数のデータ部分の再生強度を調整する調整手段とを備える情報再生装置（つまり、上述した本発明の情報再生装置に係る実施形態（但し、その各種態様を含む））に備えられたコンピュータを制御する再生制御用のコンピュータプログラムであって、該コンピュータを前記読取手段、前記再生手段及び前記調整手段のうち少なくとも一部として機能させる。【００４３】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００４４】
尚、上述した本発明の情報再生装置に係る実施形態における各種態様に対応して、本発明のコンピュータプログラムに係る実施形態も各種態様を採ることが可能である。【００４５】
本発明のコンピュータプログラム製品に係る実施形態は、コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中に、前記コンテンツデータ中に周期的又は離散的に分布する複数のデータ部分の再生強度を調整する調整手段とを備える情報再生装置（つまり、上述した本発明の情報再生装置に係る実施形態（但し、その各種態様を含む））に備えられたコンピュータにより実行可能なプログラム命令を明白に具現化し、該コンピュータを、前記読取手段、前記再生手段及び前記調整手段のうち少なくとも一部として機能させる。【００４６】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置に係る実施形態を比較的容易に実施可能となる。更に具体的には、当該コンピュータプログラム製品は、上述した本発明の情報記録装置に係る実施形態として機能させるコンピュータ読取可能なコード（或いはコンピュータ読取可能な命令）から構成されてよい。【００４７】
尚、上述した本発明の情報再生装置に係る実施形態における各種態様に対応して、本発明のコンピュータプログラム製品に係る実施形態も各種態様を採ることが可能である。【００４８】
本発明のこのような作用及び他の利得は次に説明する実施の形態から明らかにされる。【００４９】
以上説明したように、本発明の情報再生装置及び方法に係る実施形態によれば、読取手段、操作手段、再生手段及び調整手段、又は読取工程、再生工程及び調整工程を備える。本発明のコンピュータプログラムに係る実施形態によれば、コンピュータを本発明の情報再生装置に係る実施形態として機能させる。従って、より高度な再生技術を比較的容易に実現することができる。
【実施例】
【００５０】
以下、図面を参照しながら、本発明の実施例について説明を進める。尚、以下の実施例は、再生速度制御、テンポ制御及び巻き戻し再生等に代表される各種再生機能を有するＣＤプレーヤないしはＤＶＤプレーヤ等の光ディスク再生装置に対して、本発明の情報再生装置を適用した場合の実施例である。また、以下に説明する本実施例に係る光ディスク再生装置は、クラブやディスコ等の舞踏場において、光ディスクを次々に取り替えつつ、音楽データないしは映像データに対して様々な特殊効果（エフェクト）を付加しつつ連続的に再生する際に用いられるＤＪ機器（ＶＪ（Video Jockey）機器を含む）として用いられる。【００５１】
（１）基本構成
初めに、図１及び図２を参照しながら、本実施例に係る光ディスク再生装置１の基本構成について説明を進める。ここに、図１は、本実施例に係る光ディスク再生装置１の基本構成を概念的に示すブロック図であり、図２は、本実施例に係る光ディスク再生装置１の特に信号処理部１５の構成を概念的に示すブロック図である。【００５２】
図１に示すように、本実施例に係る光ディスク再生装置１は、光ピックアップ（ＰＵ：Pick Up）１０と、ＲＦ（Radio Frequency）アンプ１１と、スピンドルモータ１２と、サーボ機構１３と、ピックアップサーボ回路１４と、信号処理部１５と、バッファメモリ１６と、キューポイントメモリ１７と、スピンドルサーボ回路１８と、編集部１９と、システムコントローラ２０と、外部出力端子３０と、操作部４０と、ジョグダイヤル４１と、エンコーダ４２と、接触センサ４３と、表示部５０とを備える。【００５３】
光ピックアップ１０は、本発明の「読取手段」の一具体例を構成しており、光ディスク１００から、映画や音楽等を含むコンテンツデータ及び該コンテンツデータの再生を制御するためのコントロールデータを読み取るためのもので、半導体レーザ装置、各種レンズ、アクチュエータ等から構成される。より詳細には、光ピックアップ１０は、光ディスク１００に対してレーザ光ＬＢを、所定のパワーで照射する。また、光ディスク１００からのレーザ光ＬＢの反射光を受光するためのＰＤ（Photo Detector）センサを備えており、受光された反射光を読取信号ＳｄｔとしてＲＦアンプ１１へ出力する。【００５４】
光ピックアップ１０は、サーボ機構１３の制御により駆動される図示しないアクチュエータ、スライダ等により、トラッキングエラー信号ＴＥに応じて光ディスク１００の半径方向等に移動できるように構成されている。加えて、サーボ機構１３の制御により、フォーカスエラー信号ＦＥに応じてレーザ光ＬＢの焦点を変化させ、フォーカス制御可能に構成されている。【００５５】
ＲＦアンプ１１は、光ピックアップ１０から出力される読取信号Ｓｄｔに基づいてＲＦ信号ＤＲＦを生成し、生成されたＲＦ信号ＤＲＦを、信号処理部１５へ出力する。また、ＲＦアンプ１１は、光ピックアップ１０から出力される読取信号Ｓｄｔに基づいて、光ピックアップ１０が光ディスク１００へレーザ光ＬＢを照射する際のフォーカスを制御するためのフォーカスエラー信号ＦＥ及び光ピックアップ１０が光ディスク１００へレーザ光ＬＢを照射する際のトラッキングを制御するためのトラッキングエラー信号ＴＥ等の誤差信号を生成する。生成された誤差信号（ＦＥ及びＴＥ）は、ピックアップサーボ回路１４へ出力される。【００５６】
スピンドルモータ１２は、スピンドルサーボ回路１８によりスピンドルサーボを受けつつ所定速度で光ディスク１００を回転させるように構成されている。【００５７】
サーボ機構１３は、ピックアップサーボ回路１４から出力されるトラッキングサーボ制御信号に基づいて、光ピックアップ１０を光ディスク１００の径方向に移動させる。また、ピックアップサーボ回路１４から出力されるフォーカスサーボ制御信号に基づいて、光ピックアップ１０に含まれる対物レンズを、レーザ光ＬＢの光軸に沿って移動させる。【００５８】
ピックアップサーボ回路１４は、ＲＦアンプ１１より出力される誤差信号（フォーカスエラー信号ＦＥ及びトラッキングエラー信号ＴＥ）に基づいて、サーボ機構１３を制御するためのフォーカスサーボ制御信号やトラッキングサーボ制御信号を生成する。生成されたフォーカスサーボ制御信号やトラッキングサーボ制御信号は、サーボ機構１３へ出力される。言い換えれば、フォーカスエラーやトラッキングエラーの発生を抑制すべく、ＲＦアンプ１１より出力される誤差信号（フォーカスエラー信号ＦＥ及びトラッキングエラー信号ＴＥ）に基づいて、サーボ機構１３をフィードバック制御する。【００５９】
信号処理部１５は、本発明における「再生手段」の一具体例を構成しており、演算機能を有するデジタルシグナルプロセッサ（Digital Signal Processor：ＤＳＰ）で形成されており、ＣＤやＤＶＤの規格に準拠してＲＦ信号ＤＲＦをデコードすることにより復調データを生成する。更に復調データに含まれているコンテンツ再生用のコンテンツデータとシームレス再生用のコントロールデータＣＮＴとを分離抽出する。コントロールデータＣＮＴは、例えば光ディスク１００のリードインエリアに記録されているＴＯＣデータ等や、ストリーム信号に含まれて記録される同期データや、コンテンツデータが再生される際の時間経過情報が含まれるサブコードデータ等が一具体例として挙げられる。生成されたコントロールデータＣＮＴは、システムコントローラ２０へ出力され、コンテンツデータの再生を制御するために（特に、コンテンツデータをシームレス再生が可能なコンテンツデータＤｄにデコードするために）用いられる。【００６０】
ここで、図２を参照して、信号処理部１５のより具体的な構成について説明する。【００６１】
図２に示すように、信号処理部１５は、一時記憶部１５ａと、上述したデコード処理を行うデコード部１５ｂと、アドレス制御部１５ｃと、読出／書込制御部１５ｄと、データ伸張部１５ｅとを備えている。また。信号処理部１５には、バッファメモリ１６とキューポイントメモリ１７とが接続されている。【００６２】
一時記憶部１５ａは、ＲＦアンプ１１から出力されるＲＦ信号ＤＲＦを一時的に格納すると共に、デコード部１５ｂがＲＦ信号ＤＲＦをデコードしてシームレス再生用のコンテンツデータＤｄを生成する際の作業領域として設けられている。【００６３】
バッファメモリ１６は、所定の記憶容量を有するリングメモリで形成されており、アドレス制御部１５ｃ及び読出／書込制御部１５ｄの制御に従って、デコード部１５ｂでデコードされたコンテンツデータＤｄを記憶すると共に、一旦記憶したコンテンツデータＤｄをコンテンツデータＤｍｂとして出力する。主に、フォワード再生とリバース再生及び往復再生（いわゆる、スクラッチ再生）時に再生されるべきコンテンツデータＤｄを記憶し、更にコンテンツデータＤｍｂとして出力する。【００６４】
キューポイントメモリ１７は、所定の記憶容量を有する半導体メモリで形成されており、アドレス制御部１５ｃ及び読出／書込制御部１５ｄの制御に従って、デコード部１５ｂでデコードされたコンテンツデータＤｄを記憶すると共に、一旦記憶したコンテンツデータＤｄをコンテンツデータＤｃｕｅとして出力する。【００６５】
ただし、キューポイントメモリ１７は、バッファメモリ１６とは異なり、ユーザ等が予め頭出しのためのキューポイントを設定すると、そのキューポイントを挟んで相前後する位置関係にある所定量のコンテンツデータＤｄを記憶し、その後、ユーザ等が頭出し指定をすると、記憶しておいたコンテンツデータＤｄをキューポイントに関連するコンテンツデータＤｃｕｅとして出力するように構成されている。【００６６】
デコード部１５ｂは、上述したコンテンツデータＤｄを生成すると、システムコントローラ２０からの指令に従って、該コンテンツデータＤｄをバッファメモリ１６又はキューポイントメモリ１７に供給して記憶させる。つまり、フォワード再生とリバース再生及びスクラッチ再生の際には、光ピックアップ１０が光ディスク１００から情報読取りを行うことによって得られるコンテンツデータＤｄをバッファメモリ１６に記憶させる。また、ユーザ等からキューポイントの設定がなされると、光ピックアップ１０がキューポイントの位置を挟んで相前後する位置関係にある情報を光ディスク１００から読取ることによって得られるコンテンツデータＤｄをキューポイントメモリ１７に記憶させる。【００６７】
アドレス制御部１５ｃは、システムコントローラ２０からの指令に従って、バッファメモリ１６のアドレスを指定するアドレスデータＢａと、キューポイントメモリ１７のアドレスを指定するアドレスデータＣａを発生する。【００６８】
読出／書込制御部１５ｄは、システムコントローラ２０からの指令に従って、バッファメモリ１６とキューポイントメモリ１７に対してリードライト制御信号Ｂｒｗ及びＣｒｗを供給することにより、バッファメモリ１６に対するデータ書き込みとデータ読み出しの制御と、キューポイントメモリ１７に対するデータ書き込みとデータ読み出しの制御を行う。【００６９】
すなわち、アドレス制御部１５ｃがバッファメモリ１６のアドレスを指定して読出／書込制御部１５ｄが書き込み制御を行うと、そのアドレスにコンテンツデータＤｄが記憶され、一方、アドレス制御部１５ｃがバッファメモリ１６のアドレスを指定して読出／書込制御部１５ｄが読み出し制御を行うと、そのアドレスに記憶されていたコンテンツデータＤｄをコンテンツデータＤｍｂとして出力させるように構成されている。【００７０】
また、アドレス制御部１５ｃがキューポイントメモリ１７のアドレスを指定して読出／書込制御部１５ｄが書き込み制御を行うと、そのアドレスにコンテンツデータＤｄが記憶され、一方、アドレス制御部１５ｃがキューポイントメモリ１７のアドレスを指定して読出／書込制御部１５ｄが読み出し制御を行うと、そのアドレスに記憶されていたコンテンツデータＤｄをキューポイントに関連するコンテンツデータＤｃｕｅとして出力させるように構成されている。【００７１】
更に、アドレス制御部１５ｃと読出／書込制御部１５ｄにおけるバッファメモリ１６又はキューポイントメモリ１７に対するコンテンツデータ読み出し時のアクセスタイミングが、ジョグダイヤル４１の回転速度に応じて変化するようになっており、このアクセスタイミングの変化によって既述した処理速度が変化するようになっている。【００７２】
すなわち、操作部４０を介してユーザ等からフォワード再生の指示がなされた際、ジョグダイヤル４１が停止していると、信号処理部１５は正規の再生速度に対応したアクセスタイミングでバッファメモリ１６又はキューポイントメモリ１７からコンテンツデータＤｍｂ又はＤｃｕｅを読み出してコンテンツ再生の処理を行う。したがって、正規の処理速度の下で通常のコンテンツ再生が行われる。【００７３】
一方、ジョグダイヤル４１が時計回り方向又は反時計回り方向に回転操作されると、夫々の回転速度に対応したアクセスタイミングでバッファメモリ１６又はキューポイントメモリ１７からオーディオデータＤｍｂ又はＤｃｕｅを読み出してコンテンツ再生の処理を行う。したがって、ジョグダイヤル４１が時計回り方向又は反時計回り方向に回転操作されると、アクセスタイミングの変化に応じて再生速度が変化し、例えば音楽等を再生中にジョグダイヤル４１が操作されると、正規の再生音とは異なった再生速度の音を再生するようになっている。【００７４】
尚、上記の再生速度とは、バッファメモリ１６又はキューポイントメモリ１７に記憶されているコンテンツデータを読出して、そのコンテンツデータに基づいてコンテンツ再生を行う際、バッファメモリ１６又はキューポイントメモリ１７をメモリアクセスして読出しアドレスを順次に切り替えるときのその読出しアドレスの切替え速度に相当する。【００７５】
従って、ジョグダイヤル４１が操作されると、バッファメモリ１６又はキューポイントメモリ１７に対する読出しアドレスの切り替え速度が変化し、その切り替え速度の変化に応じてバッファメモリ１６又はキューポイントメモリ１７から読み出されるコンテンツデータに基づいてコンテンツ再生を行うと、例えば本来の音楽などとは異なったテンポの映像や効果音がディスプレイやスピーカ等で再生されるようになっている。【００７６】
尚、上記のフォワード再生とは、ＬＰ等のアナログレコードを順方向に回転させて音楽等を再生させた場合と同様に、光ディスク１００のコンテンツデータを、記録されている順に再生することを言う。したがって、ジョグダイヤル４１が時計回り方向に回転操作されるのに応じて、音楽等を通常の音として再生するようになっている。また、ジョグダイヤル４１が停止されているときにも、フォワード再生が行われるようになっている。【００７７】
一方、上記のリバース再生とは、アナログレコードを逆方向に回転させて音楽等を再生させた場合と同様に、光ディスク１００のコンテンツデータを、記録されている順とは逆の順番で再生することを言う。つまり、アナログレコードでは音楽等が連続記録（アナログ記録）されているため、アナログレコードを逆方向に回転させると、音楽等を逆の方向から再生することになって、本来の音楽等とは違った擬音が再生されることになるが、ジョグダイヤル４１が反時計回り方向に回転操作されると、光ディスク１００にデジタル記録されている個々のコンテンツデータを逆の順番で再生することにより、あたかもアナログレコードを逆方向に回転させて再生させた場合と同様の擬音を生じさせるようになっている。【００７８】
このようにアナログレコードをリバース再生するのと同様の機能を備えたことで、例えばユーザ等がジョグダイヤル４１を時計回り方向と反時計回り方向へ敏速に往復回転を繰り返すと、所謂スクラッチ音と呼ばれる擬音（「キュキュ」、「ガシャガシャ」等の擬音）を生じさせることができる。そして、所謂ディスクジョッキーと呼ばれる演奏者が、上記のスクラッチ音等を生じさせるべくジョグダイヤル４１を操作すると、ＣＤやＤＶＤを用いてラップ音楽等を生成するための編集を行うことが可能となっている。【００７９】
尚、アドレス制御部１５ｃと読出／書込制御部１５ｄは、バッファメモリ１６とキューポイントメモリ１７を夫々別々に制御することで、デコード部１５ｂからのコンテンツデータＤｄの同時書き込みと、コンテンツデータＤｍｂ及びＤｃｕｅの同時読み出しとを禁止している。【００８０】
また、所定の記憶容量を備えたバッファメモリ１６とキューポイントメモリ１７との夫々にコンテンツデータＤｄを記憶させるための所謂書込み処理と、バッファメモリ１６とキューポイントメモリ１７からコンテンツデータＤｍｂ及びＤｃｕｅを読み出す所謂読出し処理とを独立に行っているため、光ピックアップ１０における光ディスク１００からの情報読取りの処理と、信号処理部１５内でのオーディオ再生のための処理とが互に影響を及ぼさないようになっている。【００８１】
データ伸張部１５ｅは、データ圧縮技術によってデータ圧縮されているコンテンツデータＤｍｂ又はＤｃｕｅがバッファメモリ１６又はキューポイントメモリ１７から読み出されると、それらのコンテンツデータＤｍｂ又はＤｃｕｅをデータ伸張し、データ伸張後のコンテンツデータＤｅｘを、図１に示す編集部１９へ供給する。また、コンテンツデータＤｍｂ又はＤｃｕｅがデータ圧縮されていない場合には、データ伸張の処理を行わず、コンテンツデータＤｍｂ又はＤｃｕｅをそのままコンテンツデータＤｅｘとして編集部１９へ供給する。【００８２】
再び図１において、スピンドルサーボ回路１８は、システムコントローラ２０から指示されたスピンドルモータ１２の回転速度に対する同期データの誤差を検出し、その誤差の発生を抑制すべくスピンドルモータ１２の回転をフィードバック制御する。【００８３】
編集部１９は、信号処理部１５から供給されるコンテンツデータＤｅｘを不図示のＤ／Ａ変換器でデジタルアナログ変換することによってアナログコンテンツ信号を生成し、更に電力増幅して外部出力端子３０へ出力する。出力されたアナログコンテンツ信号は、外部出力端子３０を介して、例えばディスプレイやスピーカ等の外部出力機器へ出力され、光ディスク１００に記録されているコンテンツデータに応じた映像や音声として再生される。【００８４】
尚、上記のＤ／Ａ変換器は、いわゆるサンプリング定理に基づいて決められた固定のサンプリング周波数に同期してコンテンツデータＤｅｘをアナログコンテンツ信号に変換する。したがって、後述するようにジョグダイヤル４１が操作されて、バッファメモリ１６又はキューポイントメモリ１７に対する読出しアドレスの切り替え速度が変化し、それによって単位時間当たりにＤ／Ａ変換器に供給されるコンテンツデータＤｅｘの数が変化することになると、Ｄ／Ａ変換器からは例えば本来の音楽などとは異なったテンポの効果音を再生することが可能なアナロコンテンツ信号が出力される。【００８５】
システムコントローラ２０は、演算及び制御機能を有するマイクロプロセッサ（ＭＰＵ）を備え、予め設定されているシステムプログラムを実行することにより、光ディスク再生装置１全体の動作を集中制御する。【００８６】
また、システムコントローラ２０は、スクラッチエミュレータ処理部２２を備えている。スクラッチエミュレータ処理部２２は、本発明の「調整手段」の一具体例を構成しており、コンテンツデータに対して、毎秒数回程度の間隔でミュート処理を行うように、信号処理部１５を制御する。係る処理については、後に詳述する（図３等参照）。【００８７】
操作部４０は、ジョグダイヤル４１と、エンコーダ４２と、接触センサ４３と、表示部５０とを備えている。操作部４０は更に、複数の操作ボタンを備えて形成されており、再生操作の内容を指示するための再生ボタンや一時停止ボタンや再生停止ボタン等の再生操作に必要な各種の操作ボタンの他、既述したキューポイントを設定するためのキューポイント登録ボタンや、設定しておいたキューポイントを頭出し位置として指定するためのキューポイント指定ボタンや、様々な効果音を付加する際に操作される編集キー等が設けられている。【００８８】
ジョグダイヤル４１は、本発明における「操作手段」の一具体例を構成しており、両方向（つまり、時計回り方向及び反時計回り方向）に回転自在な円盤形状の操作キーである。ユーザ等がジョグダイヤル４１の回転方向と回転速度を適宜に変化させて操作すると、その回転方向に応じて上述したフォワード再生とリバース再生を設定することができ、更に、その回転速度に応じて、スピーカやヘッドフォンで再生される再生音の音調を変化させることができるようになっている。【００８９】
エンコーダ４２は、本発明における「検出手段」の一具体例を構成しており、ジョグダイヤル４１の回転方向及び回転速度（角速度）を検出する。より具体的には、エンコーダ４２は、ロータリエンコーダ回路を備えており、ジョグダイヤル４１の回転方向及び回転速度を光学的に検出する。検出されたジョグダイヤル４１の回転方向及び回転速度は、操作信号として、システムコントローラ２０に出力される。これにより、システムコントローラ２０は、ユーザ等が操作したジョグダイヤル４１の操作量を認識し、その操作量に応じたエフェクト処理を行わせる。また、スクラッチエミュレータ処理部２２は、ユーザ等が操作したジョグダイヤル４１の操作量を認識し、その操作量に応じた操作信号に対して所定の付加信号を付加する。【００９０】
尚、ジョグダイヤルの回転方向について、時計回りの方向を正方向と規定し、半時計回りの方向を負方向と規定した場合には、操作信号は、その符号によりジョグダイヤル４１の回転方向を示すと共に、その数値（つまり、絶対値）によりジョグダイヤル４１の回転速度（具体的には、角速度）の大きさを示している。【００９１】
接触センサ４３は、ユーザがジョグダイヤル４１を操作しているか否か（特に、ユーザがジョグダイヤル４１に触れているか否か）を検出するためのセンサである。【００９２】
表示部５０は、コンテンツデータの再生に伴う各種情報を表示する。表示部５０は、例えば液晶ディスプレイや蛍光管等の表示パネルを備えており、システムコントローラ２０の制御を受けて各種情報を表示する。例えば、表示部５０には、コンテンツデータの再生に応じた各種情報が表示されていてもよい。より具体的には、例えば、現在再生しているコンテンツデータのトラック番号や、現在再生しているコンテンツデータの経過時間や、現在光ディスク再生装置１にローディングされている光ディスク１００に記録されているコンテンツデータの総トラック数等が表示されていてもよい。再生時間軸に沿ったコンテンツデータのビート密度が表示されていてもよいし、現在再生されているコンテンツデータの周波数帯域毎の強度が表示されていてもよい。【００９３】
（２）動作原理
続いて、図３及び図４を参照して、本実施例に係る光ディスク再生装置１の動作原理について説明する。ここでは、図３を用いて光ディスク再生装置１の動作原理の全体の流れを説明し、適宜他の図面を参照しながらより詳細な説明を加えていく。ここに、図３は、本実施例に係る光ディスク再生装置１の動作の流れを概念的に示すフローチャートである。尚、以下の説明では、説明の簡略化のために、光ディスク再生装置１が、コンテンツデータに対して毎秒数回程度の間隔でミュート処理を行う時の動作に的を絞って説明を進める。【００９４】
図３に示すように、初めに接触センサ４３においてＯＮ信号が検出されているか否かが判定される（ステップＳ１０１）。即ち、ユーザがジョグダイヤル４１に触れているか否か或いはユーザがジョグダイヤル４１を操作しているか否かが判定される。ユーザがジョグダイヤル４１に触れている又はユーザがジョグダイヤル４１を操作していれば、接触センサ４３においてＯＮ信号が検出される。【００９５】
この判定の結果、接触センサ４３においてＯＮ信号が検出されていないと判定された場合（ステップＳ１０１：Ｎｏ）、スクラッチエミュレータ処理は行われることなく、動作を終了する。但し、再びステップＳ１０１に戻り、接触センサ４３においてＯＮ信号が検出されているか否かの判定が継続されるように構成してもよい。【００９６】
他方、接触センサ４３においてＯＮ信号が検出されていると判定された場合（ステップＳ１０１：Ｙｅｓ）、続いて、ジョグダイヤル４１が回転操作されているか否かが判定される（ステップＳ１０２）。【００９７】
ステップＳ１０２における判定の結果、ジョグダイヤル４１が回転操作されていないと判定された場合には（ステップＳ１０２：Ｎｏ）、動作を終了する。【００９８】
他方、ステップＳ１０２における判定の結果、ジョグダイヤル４１が回転操作されていると判定された場合には（ステップＳ１０２：Ｙｅｓ）、続いて、コンテンツデータに対して、毎秒数回程度の間隔でミュート処理を行うように、信号処理部１５を制御する。（ステップＳ１０３）。その結果、コンテンツデータは、毎秒数回程度の間隔でミュートのオン／オフが繰り返されるように再生される。【００９９】
ここで、図４を参照して、本実施例におけるコンテンツデータの再生の態様について説明する。ここに、図４は、スクラッチエミュレータ処理部２２による処理前のコンテンツデータ及びスクラッチエミュレータ処理部２２による処理後のコンテンツデータを概念的に示す波形図である。【０１００】
ユーザがジョグダイヤル４１を操作することで、図４（ａ）に示すようなコンテンツデータが得られたとする。尚、図４（ａ）に示すコンテンツデータは、スクラッチ再生を行う際に一般的に良く見られる。即ち、時計回り及び反時計回りの夫々の方向へのジョグダイヤル４１の操作を繰り返し行うことで再生されるコンテンツデータである。【０１０１】
このとき、スクラッチエミュレータ処理部２２は、毎秒数回の間隔でコンテンツデータに対してミュート処理を施すように信号処理部１５を制御する。その結果、実際に再生されるコンテンツデータは、図４（ｂ）に示すように、毎秒数回の間隔でミュートのオン／オフが繰り返されるように再生される。具体的には、ジョグダイヤル４１の正回転操作及び逆回転操作を繰り返すと共に、光ディスク再生装置１の外部に接続されるミキサーのクロスフェーダーを細かく操作することで実現されるコンテンツデータの再生（つまり、トランスフォーマースクラッチや、クラブスクラッチや、フレアスクラッチ等のような連続ミュートスクラッチ）を実現することができる。【０１０２】
言い換えれば、ジョグダイヤル４１の正回転操作及び逆回転操作が繰り返されると共にミキサーのクロスフェーダーを細かく操作された場合と同様の態様でのコンテンツデータの再生が、ジョグダイヤル４１のみの操作によって実現される。【０１０３】
以上説明したように、本実施例に係る光ディスク再生装置１によれば、単にユーザによるジョグダイヤル４１の操作内容（即ち、操作信号ｄ）に基づいてコンテンツデータを再生することに代えて、スクラッチエミュレータ処理部２２により毎秒数回程度の間隔でミュート処理が行われながらコンテンツデータを再生している。従って、ユーザによるジョグダイヤル４１の操作では実現することが困難な又は不可能なスクラッチ（つまり、連続ミュートスクラッチ）を行うことができる。【０１０４】
例えば、スクラッチ技術を有していない（具体的には、連続ミュートスクラッチを安定して行うことができない）ユーザがジョグダイヤル４１を操作した場合であっても、スクラッチエミュレータ処理部２２の動作により、比較的容易に連続ミュートスクラッチを行うことができる。他方、スクラッチ技術を有するユーザがジョグダイヤル４１を操作した場合であっても、ユーザによるジョグダイヤル４１のマニュアル操作ではできないような特殊な態様での、複雑な態様での、高度な態様での或いは正確な態様での連続微動スクラッチを行うことができる。更には、スクラッチエミュレータ部２２においてミュート処理を行う間隔を統一している限りは、毎回同じ態様で（つまり、毎回同じタイミングでミュート処理が行われる態様で）安定的に連続ミュートスクラッチを行うことができることは言うまでもない。【０１０５】
また、上述したスクラッチエミュレータ部２２による連続ミュート処理を行う際には、ユーザはジョグダイヤル４１を複雑な態様で操作する必要はない。言い換えれば、上述したスクラッチエミュレータ部２２による連続ミュート処理を行う際には、ユーザはジョグダイヤル４１を通常の態様で操作すればよい。従って、連続ミュートスクラッチを行うためのユーザの操作に係る負担を軽減することができ、その結果、比較的容易に連続ミュートスクラッチを行うことができる。もちろん、マニュアル操作では実現できないような態様での連続ミュートスクラッチに限らず、マニュアル操作で実現できる態様での連続ミュートスクラッチであっても、ユーザの操作に係る負担を軽減することができるという大きな利点を有している。このため、特に初心者であっても、熟練者であるかのような態様で連続ミュートスクラッチを行うことができる。【０１０６】
更に、ジョグダイヤル４１を押下すればスクラッチエミュレータ部２２によるミュート処理が行われるため、ユーザは片手での操作により連続ミュートスクラッチを行うことができる。つまり、光ディスク再生装置１と、その外部に接続されたエフェクタないしはミキサーの夫々を両手で操作しなくとも、光ディスク再生装置１を片手で操作すれば、連続ミュートスクラッチを行うことができる。【０１０７】
尚、上述した動作例においては、ジョグダイヤル４１が回転操作されていると判定された場合に、スクラッチエミュレータ処理部２２によるミュート処理が行われている。しかしながら、ジョグダイヤル４１が回転操作されていないと判定された場合であっても、スクラッチエミュレータ処理部２２によるミュート処理が行われるように構成してもよい。このように構成すれば、ユーザがジョグダイヤル４１を回転操作していなくとも、単にジョグダイヤル４１に触れていれば（より具体的には、接触センサ４３がＯＮ信号を出力していれば）、上述した連続ミュートスクラッチを比較的容易に行うことができる。これは、ユーザの操作性の向上と言う観点からは非常に優れた利点である。【０１０８】
他方で、ジョグダイヤル４１の押下やジョグダイヤル４１の回転操作をトリガとしてスクラッチエミュレータ処理部２２によるミュート処理が行われる構成に加えて又は代えて、ジョグダイヤル４１以外の他の操作ボタンによりスクラッチエミュレータ処理部２２によるミュート処理を行うか否かを直接的に決定するように構成してもよい。この場合、図５の変形例に係る光ディスク再生装置１ａに示すように、スクラッチエミュレータ処理部２２と共に本発明における「設定手段」の一具体例を構成しているスクラッチエミュレータモードインボタン４４が操作部４０上に更に備えられていることが好ましい。【０１０９】
スクラッチエミュレータモードインボタン４４は、スクラッチエミュレータ処理部２２によるミュート処理が行うか否かを指定する操作ボタンである。ユーザが当該スクラッチエミュレータモードインボタン４４をＯＮにすれば、スクラッチエミュレータ処理部２２によるミュート処理が行われる。他方、ユーザが当該スクラッチエミュレータモードインボタン４４をＯＦＦにすれば、スクラッチエミュレータ処理部２２によるミュート処理が行われず、通常のフォワード再生やリバース再生やスクラッチ再生等が行われる。【０１１０】
このように、ジョグダイヤル４１以外の操作ボタンであるスクラッチエミュレータモードインボタン４４を用いたユーザの指示に基づいて、スクラッチエミュレータ処理部２２によるミュート処理が行うか否かを決定することができる。従って、スクラッチエミュレータ処理部２２によるミュート処理によって連続ミュートスクラッチを比較的容易に行うことができる共に、ユーザが望む場合にはスクラッチエミュレータ処理部２２によるミュート処理を行うことなく通常のフォワード再生やリバース再生やスクラッチ再生等を行うことができる。従って、コンテンツデータの再生の態様をより多様なものとすることができる。【０１１１】
また、ボタン一つでスクラッチエミュレータ処理部２２によるミュート処理を行うか否かを切り替えることができるため、ユーザの操作性の向上を図ることができる。【０１１２】
尚、上述した例では、毎秒数回程度の間隔でコンテンツデータに対してミュート処理を行う構成について説明している。しかしながら、ミュート処理を行うことに代えて、毎秒数回程度の間隔でコンテンツデータの音量を所定量又は所定割合だけ増加又は減少させるように構成してもよい。つまり、あるタイミングでコンテンツデータの音量を本来の音量よりも所定量又は所定割合だけ増加又は減少させ、且つそれ以外のタイミングでコンテンツデータの音量を本来の音量にするように構成してもよい。【０１１３】
また、ミュート処理（或いは、コンテンツデータの音量の増加処理又は減少処理）を行う間隔を適宜変更するように構成してもよい。或いは、コンテンツデータの音量の増加処理又は減少処理を行う場合には、増加量や減少量（言い換えれば、増加の程度や減少の程度）を適宜変更するように構成してもよい。【０１１４】
ここで、ミュート処理（或いは、コンテンツデータの音量の増加処理又は減少処理）を行う間隔やコンテンツデータの音量の増加量や減少量（言い換えれば、増加の程度や減少の程度）の変更動作は、操作部４０に備え付けられている操作ボタンを用いたユーザの指示に基づいて行われてもよい。この場合、図６の他の変形例に係る光ディスク再生装置１ｂに示すように、ミュート処理（或いは、コンテンツデータの音量の増加処理又は減少処理）を行う間隔を減少させるための間隔減少ボタン４１１と、ミュート処理（或いは、コンテンツデータの音量の増加処理又は減少処理）を行う間隔を増加させるための間隔増加ボタン４１２と、コンテンツデータの音量の増加量や減少量を減少させるための増減量減少ボタン４１３と、コンテンツデータの音量の増加量や減少量を増加させるための増減量増加ボタン４１４とが、操作部４０上に備えられていることが好ましい。操作部４０に備え付けられているこれらのボタン４１１から４１４を介して、ミュート処理（或いは、コンテンツデータの音量の増加処理又は減少処理）を行う間隔やコンテンツデータの音量の増加量や減少量（言い換えれば、増加の程度や減少の程度）の変更すべき旨を示す指示が、システムコントローラ２０に入力されれば、スクラッチエミュレータ処理部２２は、ミュート処理（或いは、コンテンツデータの音量の増加処理又は減少処理）を行う間隔やコンテンツデータの音量の増加量や減少量（言い換えれば、増加の程度や減少の程度）を変更する。【０１１５】
尚、スクラッチエミュレータ処理部２２単体がないしは操作部４０が備えるボタン４１１から４１４とスクラッチエミュレータ処理部２２との組み合わせが、本発明の「調整量変更手段」ないしは「間隔変更手段」の一具体例を構成している。【０１１６】
また、ミュート処理（或いは、コンテンツデータの音量の増加処理又は減少処理）を行う間隔やコンテンツデータの音量の増加量や減少量（言い換えれば、増加の程度や減少の程度）の変更動作は、ジョグダイヤル４１の回転速度や回転量に応じて行われてもよい。例えば、ジョグダイヤル４１の回転速度が速ければ早いほど、ミュート処理（或いは、コンテンツデータの音量の増加処理又は減少処理）を行う間隔を短くするように構成してもよい。【０１１７】
尚、上述の実施例では、スクラッチエミュレータ処理部２２がコンテンツデータの音量を調整する例について説明した。しかしながら、コンテンツデータが映像を含む場合には、スクラッチエミュレータ処理部２２は、コンテンツデータの輝度等を調整するように構成してもよい。この場合であっても、上述した各種効果を相応に享受することができることは言うまでもない。【０１１８】
尚、上述の実施例では、光ディスク１００に記録されたコンテンツデータを再生する光ディスク再生装置１について説明を進めた。しかしながら、光ディスク１００以外の各種記録媒体（例えば、ハードディスクや、メモリカード等）に記録されたコンテンツデータを再生する再生装置についても、光ディスク再生装置１と同様の構成（具体的には、エフェクトエミュレータ処理部２２によりミュート処理を行う構成）を採用することで、光ディスク再生装置１が享受する効果と同様の効果を享受することができることは言うまでもない。【０１１９】
本発明は、上述した実施例に限られるものではなく、請求の範囲及び明細書全体から読み取れる発明の要旨或いは思想に反しない範囲で適宜変更可能であり、そのような変更を伴なう情報再生装置及び方法、並びにコンピュータプログラムもまた本発明の技術的範囲に含まれるものである。
【産業上の利用性】
【０１２０】
本発明は、記録媒体に記録されている音情報や映像情報の再生を行う情報再生装置及び方法に利用可能であって、特にＤＪ機器やＶＪ機器等に利用可能である。
【図１】
2008107949.tif 000003
【図２】
2008107949.tif 000004
【図３】
2008107949.tif 000005
【図４】
2008107949.tif 000006
【図５】
2008107949.tif 000007
【図６】
2008107949.tif 000008
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
コンテンツデータを読み取る読取手段と、
使用者の操作によって回転するように構成された操作手段と、
前記使用者による前記操作手段の回転操作内容を示す操作信号に基づいて前記コンテンツデータの再生速度及び再生方向を規定しながら、該コンテンツデータを再生する再生手段と、
前記コンテンツデータの再生中であり、且つ前記使用者により前記操作手段が操作されている場合に、前記コンテンツデータ中に周期的又は離散的に分布する複数のデータ部分の再生強度を調整する調整手段と
を備えることを特徴とする情報再生装置。
【請求項２】
前記再生強度を調整するか否かを設定する設定手段を更に備え、
前記調整手段は、前記設定手段により前記再生強度を調整すると設定された場合に、前記再生強度を調整することを特徴とする請求の範囲第１項に記載の情報再生装置。
【請求項３】
（削除）
【請求項４】
前記調整手段は、前記再生強度を０に調整することを特徴とする請求の範囲第１項に記載の情報再生装置。
【請求項５】
前記再生強度の調整量を変更する調整量変更手段を更に備えることを特徴とする請求の範囲第１項に記載の情報再生装置。
【請求項６】
前記調整量変更手段は、前記操作手段の回転操作に係る操作速度及び操作量の少なくとも一方に応じて、前記再生強度の調整量を変更することを特徴とする請求の範囲第５項に記載の情報再生装置。
【請求項７】
前記調整量変更手段は、回転操作以外の前記操作手段の操作に応じて、前記再生強度の調整量を変更することを特徴とする請求の範囲第５項に記載の情報再生装置。
【請求項８】
前記複数のデータ部分の間隔を変更する間隔変更手段を更に備えることを特徴とする請求の範囲第１項に記載の情報再生装置。
【請求項９】
前記間隔変更手段は、前記操作手段の回転操作に係る操作速度及び操作量の少なくとも一方に応じて、前記複数のデータ部分の間隔を変更することを特徴とする請求の範囲第８項に記載の情報再生装置。
【請求項１０】
前記間隔変更手段は、回転操作以外の前記操作手段の操作に応じて、前記複数のデータ部分の間隔を変更することを特徴とする請求の範囲第８項に記載の情報再生装置。
【請求項１１】
使用者の操作によって回転するように構成された操作手段を備える情報再生装置における情報再生方法であって、
コンテンツデータを読み取る読取工程と、
前記使用者による前記操作手段の回転操作内容を示す操作信号に基づいて前記コンテンツデータの再生速度及び再生方向を規定しながら、該コンテンツデータを再生する再生工程と、
前記コンテンツデータの再生中であり、且つ前記使用者により前記操作手段が操作されている場合に、前記コンテンツデータ中に周期的又は離散的に分布する複数のデータ部分の再生強度を調整する調整工程と
を備えることを特徴とする情報再生方法。
【請求項１２】
コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中であり、且つ前記使用者により前記操作手段が操作されている場合に、前記コンテンツデータ中に周期的又は離散的に分布する複数のデータ部分の再生強度を調整する調整手段とを備える情報再生装置に備えられたコンピュータを制御する再生制御用のコンピュータプログラムであって、
該コンピュータを前記読取手段、前記再生手段及び前記調整手段のうち少なくとも一部として機能させることを特徴とするコンピュータプログラム。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
コンテンツデータを読み取る読取手段と、
使用者の操作によって回転するように構成された操作手段と、
前記使用者による前記操作手段の回転操作内容を示す操作信号に基づいて前記コンテンツデータの再生速度及び再生方向を規定しながら、該コンテンツデータを再生する再生手段と、
前記コンテンツデータの再生中であり、且つ前記使用者により前記操作手段が操作されている場合に、前記コンテンツデータ中に周期的又は離散的に分布する複数のデータ部分の再生強度を調整する調整手段と
を備えることを特徴とする情報再生装置。
【請求項２】
前記再生強度を調整するか否かを設定する設定手段を更に備え、
前記調整手段は、前記設定手段により前記再生強度を調整すると設定された場合に、前記再生強度を調整することを特徴とする請求の範囲第１項に記載の情報再生装置。
【請求項３】
前記調整手段は、前記再生強度を０に調整することを特徴とする請求の範囲第１項に記載の情報再生装置。
【請求項４】
前記再生強度の調整量を変更する調整量変更手段を更に備えることを特徴とする請求の範囲第１項に記載の情報再生装置。
【請求項５】
前記調整量変更手段は、前記操作手段の回転操作に係る操作速度及び操作量の少なくとも一方に応じて、前記再生強度の調整量を変更することを特徴とする請求の範囲第４項に記載の情報再生装置。
【請求項６】
前記調整量変更手段は、回転操作以外の前記操作手段の操作に応じて、前記再生強度の調整量を変更することを特徴とする請求の範囲第４項に記載の情報再生装置。
【請求項７】
前記複数のデータ部分の間隔を変更する間隔変更手段を更に備えることを特徴とする請求の範囲第１項に記載の情報再生装置。
【請求項８】
前記間隔変更手段は、前記操作手段の回転操作に係る操作速度及び操作量の少なくとも一方に応じて、前記複数のデータ部分の間隔を変更することを特徴とする請求の範囲第７項に記載の情報再生装置。
【請求項９】
前記間隔変更手段は、回転操作以外の前記操作手段の操作に応じて、前記複数のデータ部分の間隔を変更することを特徴とする請求の範囲第７項に記載の情報再生装置。
【請求項１０】
使用者の操作によって回転するように構成された操作手段を備える情報再生装置における情報再生方法であって、
コンテンツデータを読み取る読取工程と、
前記使用者による前記操作手段の回転操作内容を示す操作信号に基づいて前記コンテンツデータの再生速度及び再生方向を規定しながら、該コンテンツデータを再生する再生工程と、
前記コンテンツデータの再生中であり、且つ前記使用者により前記操作手段が操作されている場合に、前記コンテンツデータ中に周期的又は離散的に分布する複数のデータ部分の再生強度を調整する調整工程と
を備えることを特徴とする情報再生方法。
【請求項１１】
コンテンツデータを読み取る読取手段と、使用者の操作によって回転するように構成された操作手段と、前記使用者による前記操作手段の回転操作内容を示す操作信号に基づいて前記コンテンツデータの再生速度及び再生方向を規定しながら、該コンテンツデータを再生する再生手段と、前記コンテンツデータの再生中であり、且つ前記使用者により前記操作手段が操作されている場合に、前記コンテンツデータ中に周期的又は離散的に分布する複数のデータ部分の再生強度を調整する調整手段とを備える情報再生装置に備えられたコンピュータを制御する再生制御用のコンピュータプログラムであって、
該コンピュータを前記読取手段、前記再生手段及び前記調整手段のうち少なくとも一部として機能させることを特徴とするコンピュータプログラム。
【国際調査報告】
2008107949.tif 000009
2008107949.tif 000010
2008107949.tif 000011
2008107949.tif 000012